(57)【要約】【課題】指紋センサーに指が置かれたことを確実に検出でき、指が置かれたときと置かれていないときを判別して正しい動作を行うことができる指紋照合装置を得る。【解決手段】指紋を検出する指紋センサー１を覆うように設けた蓋２０と、蓋の開閉の状態を検出する検出手段（リードスイッチ２５）とを備え、検出手段による蓋の閉状態検出信号に基づいて、通常の指紋照合の動作とは別の特定の動作をする。例えば内部回路に電源供給する電源回路を省電力モードに切り替える。【選択図】　　　　図１
2004021471.tif 000002
【特許請求の範囲】
【請求項１】
指紋を検出する指紋センサーを覆うように設けた蓋と、
前記蓋の開閉の状態を検出する検出手段と
を備え、
前記検出手段による蓋の閉状態検出信号に基づいて、通常の指紋照合の動作とは別の特定の動作をするようにした
ことを特徴とする指紋照合装置。
【請求項２】
請求項１に記載の指紋照合装置において、
前記検出手段による蓋の閉状態検出信号に基づいて、内部回路に電源供給する電源回路を省電力モードに切り替える
ことを特徴とする指紋照合装置。
【請求項３】
請求項１に記載の指紋照合装置において、
前記検出手段による蓋の閉状態検出信号に基づいて、前記指紋センサーのセル毎の感度を補正するキャリブレーション回路を動作させる
ことを特徴とする指紋照合装置。
【請求項４】
請求項１に記載の指紋照合装置において、
前記検出手段による蓋の閉状態検出信号に基づいて、指置き判定の為の背景画像を取得する背景画像取得回路を動作させる
ことを特徴とする指紋照合装置。
【発明の詳細な説明】
【０００１】
【発明の属する技術分野】
この発明は、指紋センサーを備えて指紋照合動作を行う指紋照合装置に関するものである。
【０００２】
【従来の技術】
従来の指紋照合装置は、図４に示すように、指置き判定回路４とタイマー６および７により、指が置かれていない状態のときに一定時間毎にキャリブレーション回路８や背景画像取得回路９を起動していた。また、電源回路１２は電源スイッチ１３が投入されると常に全電力の状態で電源を供給していた。
【０００３】
すなわち、指紋センサー１で検出した画像は、画像取込回路２でテンポラリフレーム３に取込まれ、テンポラリフレーム３からの入力画像に基づいて指置き判定回路４から出力される指置き信号は、指紋センサー１に指が置かれていなければ、ローであり、インバータ５を介して出力される指置き無し信号はハイとなる。この指置き無し信号に基づいて第１のタイマー６と第２のタイマー７が起動し、第１のタイマー６の起動信号に基づいてその設定時間の間キャリブレーション回路８が起動し、テンポラリフレーム３の画像の濃淡から指紋センサー１のセル毎の感度バラツキを判定して、指紋センサー１のセル毎の感度を補正し均等な画像が得られるように感度調整信号を指紋センサー１に出力する。また、同時に第２のタイマー７が起動し、第２のタイマー７の起動信号に基づいてその設定時間の間背景画像取得回路９が起動し、テンポラリフレーム３の画像を背景画像として背景画像フレーム１０に転送する。
【０００４】
指紋センサー１に指が置かれると、指紋センサー１で検出した指紋画像は、画像取込回路２でテンポラリフレーム３に取込まれる。指置き検出回路４は、テンポラリフレーム３の画像と背景画像フレーム１０の画像の差分から、指が置かれたことを検出し、指紋照合回路１１に検出信号を出力する。指紋照合回路１１は、テンポラリフレーム３の画像を処理し、特徴データを生成し、あらかじめ登録されている指紋データと照合することで、照合判定信号を出力する。また、電源スイッチ１３が投入されると、電源回路１２は、常に全電力の状態で図４に示す各回路に電源を供給していた。
【０００５】
【発明が解決しようとする課題】
ところで、上述した従来の指紋照合装置に置いては、指紋センサー１に指が置かれていない状態はタイマー６及び７の設定時間に依存する為、その間に使用者が指置きすると、不正な状態でキャリブレーションがかかり、取込み画像が著しく乱され、正しく指紋照合できなくなる。また、同様に、背景画像として指置き状態の画像が取込まれ、指置き判定ができなくなる。更に、使用していないときでも、全電力を供給する必要があり、発熱や装置寿命を縮める結果となった。
【０００６】
この発明は上述した点に鑑みてなされたもので、指紋センサーに指が置かれたことを確実に検出でき、指が置かれたときと置かれていないときを判別して正しい動作を行うことができる指紋照合装置を得ることを目的とする。
【０００７】
【課題を解決するための手段】
この発明に係る指紋照合装置は、指紋を検出する指紋センサーを覆うように設けた蓋と、前記蓋の開閉の状態を検出する検出手段とを備え、前記検出手段による蓋の閉状態検出信号に基づいて、通常の指紋照合の動作とは別の特定の動作をするようにしたものである。
【０００８】
また、前記検出手段による蓋の閉状態検出信号に基づいて、内部回路に電源供給する電源回路を省電力モードに切り替えることを特徴とするものである。
【０００９】
また、前記検出手段による蓋の閉状態検出信号に基づいて、前記指紋センサーのセル毎の感度を補正するキャリブレーション回路を動作させることを特徴とするものである。
【００１０】
さらに、前記検出手段による蓋の閉状態検出信号に基づいて、指置き判定の為の背景画像を取得する背景画像取得回路を動作させることを特徴とするものである。
【００１１】
【発明の実施の形態】
図１は、この発明に係る指紋照合装置を説明するための蓋の横断面である。図１に示すように、蓋２０は、指置き２１を完全に覆うように取付けられ、指置き２１と指紋センサー１を収納したべース２２とヒンジ２３で勘合され、開閉可能な構造になっている。蓋２０に実装したマグネット２４とべース２２に実装したリードスイッチ２５とは、対向する位置にあり、蓋２０を閉めるとリードスイッチ２５がＯＮになり、蓋２０を開けるとＯＦＦになることで、蓋２０の開閉状態を検出する。このため、蓋２０が閉まっているときは指紋センサー１の指置き２１に絶対に指を置くことができないようになされている。この発明の各実施の形態は、図１に示す構成の蓋を有する。
【００１２】
実施の形態１．
図２は、この発明の実施の形態１に係る指紋照合装置の構成を示すブロック図である。図２において、図４に示す従来例と同一部分は同一符号を付してその説明は省略する。図２に示す装置においては、図１に示す蓋２０が閉められリードスイッチ２５がＯＮすると、電源回路１２がリードスイッチ２５からの省電力切替信号に基づいて省電力状態に入り、指置き判定回路４、指紋照合回路１１等の常用回路電源はＯＦＦし、その他の省電力回路だけに電源を供給するようになされている。その他の構成は、従来例と同様に動作する。
【００１３】
従って、実施の形態１によれば、確実に指が置かれていない状態を認識できるので、センサーの特定の制御機能等を確実に動作させることができ、指が置かれていないときは確実に省電力効果を営むことができる。
【００１４】
実施の形態２．
図３は、この発明の実施の形態２に係る指紋照合装置の構成を示すブロック図である。図３において、図４に示す従来例と同一部分は同一符号を付してその説明は省略する。図３に示す装置において、新たな符号として、１４と１５は、蓋２０が閉められているときのリードスイッチ２５からのＯＮ信号に基づいて起動する第３と第４のスイッチを示し、第３のスイッチ１４からの起動信号に基づいてキャブレーション回路８が起動し、第４のスイッチ１５からの起動信号に基づいて背景画像取得回路９が起動する。
【００１５】
次に、図３に示す装置の動作について説明する。図１に示す蓋２０が閉められ、確実に指が置かれていない状態で、指紋センサー１で検出した画像は、画像取込回路２を経てテンポラリフレーム３に取込まれる。蓋２０が閉められリードスイッチ２５がＯＮすると、第３のタイマー１４が起動し、所定の間隔でキャリブレーション回路８を起動する。キャリブレーション回路８が起動すると、当該回路は、テンポラリフレーム３の画像の濃淡から指紋センサー１のセル毎の感度バラツキを判定して、指紋センサー１のセル毎の感度を補正し均等な画像が得られるように調整する。
【００１６】
また、蓋２０が閉められリードスイッチ２５がＯＮすると、同時に第４のタイマー１５が起動し、所定の間隔で背景画像取得回路９を起動する。背景画像取得回路９が起動すると、当該回路は、テンポラリフレーム３の画像を背景画像として背景画像フレームに転送する。
【００１７】
使用者が蓋２０を開けると、リードスイッチ２５がＯＦＦし、第３のタイマー１４は即座にリセットされ、キャリブレーション回路８は動作を中断する。同時に、第４のタイマー１５も即座にリセットされ、背景画像取得回路９は動作を中断する。
【００１８】
使用者が指紋センサー１に指を当てると、指紋センサー１で検出した指紋画像は、画像取込回路２を経てテンポラリフレーム３に取込まれる。指置き判定回路４は、テンポラリフレーム３の画像と背景画像フレーム１０の画像の差分から、指が置かれたことを検出し、指紋照合回路１１に検出信号を出力する。指紋照合回路１１は、テンポラリフレーム３の画像を処理し、特徴データを生成し、あらかじめ登録されている指紋データと照合することで、照合判定信号を出力する。
【００１９】
従って、実施の形態２によれば、指が置かれていないことを確実に認識できるので、指置き状態で誤ってキャリブレーション機能を動作させる事を防ぐことができると共に、指置き状態で不正な背景画像を取込むことを防ぐことができる。
【００２０】
【発明の効果】
以上のように、この発明によれば、蓋が閉の状態であることを検出することで、確実に指が置かれていない状態を認識できるので、センサーの特定の制御機能等を確実に動作させることができ、指が置かれたときと置かれていないときを判別して正しい動作を行うことができる。
【００２１】
また、蓋が閉の状態、即ち未使用状態であることを認識できるので、使用者に違和感を与えることなく、確実に省電力状態にすることができる。
【００２２】
また、従来は指が置かれないであろう瞬間をぬって紺キャブレーション機能を実施していたが、蓋が閉の状態、即ち指が置かれていないことを確実に認識できるので、指置き状態で誤ってキャリブレーション機能を動作させる事を防ぐことができる。
【００２３】
さらに、蓋が閉の状態、即ち指が置かれていないことを確実に認識できるので、指置き状態で不正な背景画像を取込む事を防ぐことができる。
【図面の簡単な説明】
【図１】この発明に係る指紋照合装置を説明するための蓋の横断面である。
【図２】この発明の実施の形態１に係る指紋照合装置の構成を示すブロック図である。
【図３】この発明の実施の形態２に係る指紋照合装置の構成を示すブロック図である。
【図４】従来例に係る指紋照合装置の構成を示すブロック図である。
【符号の説明】
１　指紋センサー、２　画像取込回路、３　テンポラリフレーム、４　指置き判定回路、５　インバータ、６　第１のタイマー、７　第２のタイマー、８　キャリブレーション回路、９　背景画像取得回路、１０　背景画像フレーム、１１指紋照合回路、１２　電源回路、１３　電源スイッチ、１４　第３のタイマー、１５　第４のタイマー、２０　蓋、２１　指置き、２２　ベース、２３　ヒンジ、２４　マグネット、２５　リードスイッチ。
【図１】
2004021471.tif 000003
【図２】
2004021471.tif 000004
【図３】
2004021471.tif 000005
【図４】
2004021471.tif 000006